(57)【要約】【課題】  同一の筐体内に電気的に接続する必要のある複数のプリント配線基板を有する場合でも当該接続に起因する装置の大型化を防止することのできる撮影装置を得る。【解決手段】  各々予め定められた機能を有する第１プリント配線基板６０及び第２プリント配線基板６２が内部に設けられた単一の筐体７０を有すると共に、第１プリント配線基板６０において取り扱われる電気信号を第２プリント配線基板６２に対して無線信号にて送信する無線通信部６０Ａを当該第１プリント配線基板６０に設ける一方、無線通信部６０Ａによって送信された無線信号を受信する無線通信部６２Ａを第２プリント配線基板６２に設ける。【選択図】        図３
2007096534.tif 000002
【特許請求の範囲】
【請求項１】
単一の筐体と、
前記筐体の内部に設けられると共に、各々予め定められた機能を有する複数のプリント配線基板と、
前記複数のプリント配線基板の少なくとも１つに設けられると共に、設けられたプリント配線基板において取り扱われる電気信号を他の少なくとも１つのプリント配線基板に対して無線信号にて送信する無線送信手段と、
前記複数のプリント配線基板の少なくとも１つに設けられると共に、前記無線送信手段によって送信された無線信号を受信する無線受信手段と、
を備えた撮影装置。
【請求項２】
前記無線送信手段が設けられるプリント配線基板を、予め定められた指示を入力する際に操作される操作手段を有するものとし、
前記電気信号を、前記操作手段に対する操作状態を示す操作信号とし、
前記無線受信手段が設けられるプリント配線基板を、前記操作信号により示される操作状態に応じて予め定められた処理を実行するものとした
請求項１記載の撮影装置。
【請求項３】
前記操作手段を、レリーズスイッチとした請求項２記載の撮影装置。
【請求項４】
前記無線送信手段と前記無線受信手段との間の通信を、光を用いて行うものとした請求項１乃至請求項３の何れか１項記載の撮影装置。
【請求項５】
前記光を前記無線送信手段から前記無線受信手段まで案内する案内手段を更に備えた請求項４記載の撮影装置。
【請求項６】
前記案内手段を、導光手段及び反射板の少なくとも一方を用いて構成した請求項５記載の撮影装置。
【請求項７】
前記案内手段に、前記筐体の壁面を含めた請求項５又は請求項６記載の撮影装置。
【請求項８】
前記筐体を、撮影装置本体を内包し、かつ防水性を有するものとした請求項１乃至請求項７の何れか１項記載の撮影装置。
【発明の詳細な説明】
【技術分野】
【０００１】
本発明は、撮影装置に係り、特に、複数のプリント配線基板を有する撮影装置に関する。
【背景技術】
【０００２】
近年、ＣＣＤ（Charge Coupled Device）エリアセンサ、ＣＭＯＳ（Complementary Metal Oxide Semiconductor）イメージ・センサ等の固体撮像素子の高解像度化に伴い、デジタル電子スチルカメラ、デジタルビデオカメラ、携帯電話機、ＰＤＡ（Personal Digital Assistant，携帯情報端末）等の撮影機能を有する携帯型の電子機器の需要が急増している。なお、以上のような撮影機能を有する携帯型の電子機器を、ここでは撮影装置と総称する。
【０００３】
ところで、以上のような撮影装置では、撮影を実行する際に押圧操作されるレリーズスイッチ（所謂シャッター）、動作モードを切り替える際に操作されるモード切替スイッチ、ズーム撮影機能が搭載されている場合のズーム倍率変更スイッチ等の各種スイッチ類が搭載されたプリント配線基板と、撮影装置全体の動作を司るＣＰＵ（中央処理装置）等の制御回路が設けられているプリント配線基板とが個別に設けられている場合が多い。これは、撮影装置には略中央部に設けられた撮像光学系等の多くの機械的な部位が存在するため、プリント配線基板を１枚で構成することが困難であるためである。
【０００４】
その一方で、以上のような撮影装置では、一般に、各プリント配線基板を互いに電気的に接続するためにコネクタやフレキシブルケーブル等の機械的な接続部品が用いられており、装置の小型化の妨げとなっていた。
【０００５】
なお、当該機械的な接続部品を用いずに複数のプリント配線基板間を電気的に接続するための従来の技術としては、特許文献１にて、折り畳み可能な連結部を有する折り畳み式携帯電話機等の電子機器において、連結部の防水効果を高め、かつ組み立てを容易にし、製造コストを低減させることを目的として、連結部により屈曲自在に連結された２つの筐体を有する電子機器であって、前記連結部内部に無線手段を有し、前記連結された２つの筐体を電気的に接続させる技術が開示されている。
【特許文献１】特開２００３−１４３２７２公報
【発明の開示】
【発明が解決しようとする課題】
【０００６】
しかしながら、上記特許文献１に開示されている技術は、異なる２つの筐体内に設けられたプリント配線基板間の接続が前提とされており、当該２つの筐体間の連結部において無線通信するものとされているため、同一の筐体内に電気的に接続する必要のある複数のプリント配線基板を有する電子機器に対して適用することは困難であった。
【０００７】
すなわち、近年の電子機器は小型化が進んでおり、１つの筐体内には多くの機械的な部品が密集して設けられている場合が多い。このような電子機器において同一の筐体内に設けられた複数のプリント配線基板の間には各種部品が存在してしまう場合が多く、このような状態の装置に対して特許文献１に開示されている技術を適用することは極めて困難である。
【０００８】
本発明は上記事実に鑑みてなされたものであり、同一の筐体内に電気的に接続する必要のある複数のプリント配線基板を有する場合でも当該接続に起因する装置の大型化を防止することのできる撮影装置を提供することを目的とする。
【課題を解決するための手段】
【０００９】
上記目的を達成するために、本発明の撮影装置は、単一の筐体と、前記筐体の内部に設けられると共に、各々予め定められた機能を有する複数のプリント配線基板と、前記複数のプリント配線基板の少なくとも１つに設けられると共に、設けられたプリント配線基板において取り扱われる電気信号を他の少なくとも１つのプリント配線基板に対して無線信号にて送信する無線送信手段と、前記複数のプリント配線基板の少なくとも１つに設けられると共に、前記無線送信手段によって送信された無線信号を受信する無線受信手段と、を備えている。
【００１０】
本発明の撮影装置は、各々予め定められた機能を有する複数のプリント配線基板が内部に設けられた単一の筐体を有したものとされている。
【００１１】
ここで、本発明では、設けられたプリント配線基板において取り扱われる電気信号を他の少なくとも１つのプリント配線基板に対して無線信号にて送信する無線送信手段が前記複数のプリント配線基板の少なくとも１つに設けられる一方、前記無線送信手段によって送信された無線信号を受信する無線受信手段が前記複数のプリント配線基板の少なくとも１つに設けられる。
【００１２】
このように、本発明の撮影装置によれば、各々予め定められた機能を有する複数のプリント配線基板が内部に設けられた単一の筐体を有すると共に、設けられたプリント配線基板において取り扱われる電気信号を他の少なくとも１つのプリント配線基板に対して無線信号にて送信する無線送信手段を前記複数のプリント配線基板の少なくとも１つに設ける一方、前記無線送信手段によって送信された無線信号を受信する無線受信手段を前記複数のプリント配線基板の少なくとも１つに設けているので、コネクタやフレキシブルケーブル等の機械的な接続部品の使用を回避できる結果、同一の筐体内に電気的に接続する必要のある複数のプリント配線基板を有する場合でも当該接続に起因する装置の大型化を防止することができる。
【００１３】
なお、本発明は、前記無線送信手段が設けられるプリント配線基板を、予め定められた指示を入力する際に操作される操作手段を有するものとし、前記電気信号を、前記操作手段に対する操作状態を示す操作信号とし、前記無線受信手段が設けられるプリント配線基板を、前記操作信号により示される操作状態に応じて予め定められた処理を実行するものとしてもよい。
【００１４】
特に、本発明は、前記操作手段をレリーズスイッチとしてもよい。
【００１５】
また、本発明は、前記無線送信手段と前記無線受信手段との間の通信を、光を用いて行うものとしてもよい。
【００１６】
特に、本発明は、前記光を前記無線送信手段から前記無線受信手段まで案内する案内手段を更に備えてもよく、この場合、前記案内手段を、導光手段及び反射板の少なくとも一方を用いて構成してもよく、更に、前記案内手段に前記筐体の壁面を含めてもよい。
【００１７】
また、本発明は、前記筐体を、撮影装置本体を内包し、かつ防水性を有するものとしてもよい。
【発明の効果】
【００１８】
本発明によれば、各々予め定められた機能を有する複数のプリント配線基板が内部に設けられた単一の筐体を有すると共に、設けられたプリント配線基板において取り扱われる電気信号を他の少なくとも１つのプリント配線基板に対して無線信号にて送信する無線送信手段を前記複数のプリント配線基板の少なくとも１つに設ける一方、前記無線送信手段によって送信された無線信号を受信する無線受信手段を前記複数のプリント配線基板の少なくとも１つに設けているので、コネクタやフレキシブルケーブル等の機械的な接続部品の使用を回避できる結果、同一の筐体内に電気的に接続する必要のある複数のプリント配線基板を有する場合でも当該接続に起因する装置の大型化を防止することができる、という効果が得られる。
【発明を実施するための最良の形態】
【００１９】
以下、図面を参照して、本発明の実施の形態について詳細に説明する。なお、ここでは、本発明を、静止画像の撮影を行うデジタル電子スチルカメラ（以下、「デジタルカメラ」という。）に適用した場合について説明する。
【００２０】
［第１の実施の形態］
まず、図１を参照して、本実施の形態に係るデジタルカメラ１０の外観上の構成を説明する。
【００２１】
デジタルカメラ１０の正面には、被写体像を結像させるためのレンズ２１と、撮影時に必要に応じて被写体に照射する光を発するストロボ４４と、撮影する被写体の構図を決定するために用いられるファインダ２０と、が備えられている。また、デジタルカメラ１０の上面には、撮影を実行する際に押圧操作されるレリーズスイッチ５６Ａと、電源スイッチ５６Ｂと、モード切替スイッチ５６Ｃと、が備えられている。
【００２２】
なお、本実施の形態に係るデジタルカメラ１０のレリーズスイッチ５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２３】
そして、デジタルカメラ１０では、レリーズスイッチ５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００２４】
また、モード切替スイッチ５６Ｃは、撮影を行うモードである撮影モード及び被写体像を後述するＬＣＤ３８に再生するモードである再生モードの何れかのモードに設定する際に回転操作される。
【００２５】
一方、デジタルカメラ１０の背面には、前述のファインダ２０の接眼部と、撮影された被写体像やメニュー画面等を表示する液晶ディスプレイ（以下、「ＬＣＤ」という。）３８と、十字カーソルスイッチ５６Ｄと、が備えられている。なお、十字カーソルスイッチ５６Ｄは、ＬＣＤ３８の表示領域における上・下・左・右の４方向の移動方向を示す４つの矢印キーを含んで構成されている。
【００２６】
更に、デジタルカメラ１０の背面には、ＬＣＤ３８にメニュー画面を表示させるときに押圧操作されるメニュースイッチと、それまでの操作内容を確定するときに押圧操作される決定スイッチと、直前の操作内容をキャンセルするときに押圧操作されるキャンセルスイッチと、が備えられている。
【００２７】
次に、図２を参照して、本実施の形態に係るデジタルカメラ１０の電気系の要部構成を説明する。
【００２８】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００２９】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３０】
なお、デジタル信号処理部３０は、所定容量のラインバッファを内蔵し、入力されたデジタルデータを後述するメモリ４８の所定領域に直接記憶させる制御も行う。
【００３１】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３２】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を一時的に記憶するメモリ４８と、メモリ４８に対するアクセスの制御を行うメモリインタフェース４６と、を含んで構成されている。
【００３３】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４と、を含んで構成されている。
【００３４】
なお、本実施の形態のデジタルカメラ１０では、メモリ４８としてフラッシュ・メモリ（Flash Memory）が用いられ、メモリカード５２としてスマートメディア（Smart Media（登録商標））が用いられている。
【００３５】
デジタル信号処理部３０、ＬＣＤインタフェース３６、ＣＰＵ４０、メモリインタフェース４６、外部メモリインタフェース５０及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６ないし外部メモリインタフェース５０を介したアクセスを各々行うことができる。
【００３６】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００３７】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００３８】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００３９】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４０】
一方、前述のレリーズスイッチ５６Ａ、電源スイッチ５６Ｂ、モード切替スイッチ５６Ｃ、十字カーソルスイッチ５６Ｄ、メニュースイッチ等の各種スイッチ（以下、「操作スイッチ」と総称する。）は第１プリント配線基板６０に電気的に接続された状態で搭載されている。また、第１プリント配線基板６０には、操作スイッチに対する操作状態を示す操作信号を無線信号にて送信する無線通信部６０Ａが設けられている。なお、図示は省略するが、第１プリント配線基板６０には、無線通信部６０Ａの他、操作スイッチに関する各種処理を実行する電子部品が搭載されている。また、第１プリント配線基板６０は、デジタルカメラ１０の筐体７０（図１も参照。）の内部に固定配置されている。
【００４１】
一方、筐体７０の内部には、ＣＰＵ４０、充電部４２、ＬＣＤインタフェース３６、メモリインタフェース４６、圧縮・伸張処理回路５４等の、デジタルカメラ１０の中核的な役割を有する電子部品が搭載された第２プリント配線基板６２（図２では図示省略、図３参照。）が固定配置されている。
【００４２】
第２プリント配線基板６２には、ＣＰＵ４０に接続された無線通信部６２Ａが設けられている。無線通信部６２Ａは、無線通信部６０Ａによって送信された操作信号を受信するものであり、無線通信部６０Ａとの間で予め定められた無線通信規格にて通信を行うものである。なお、本実施の形態に係るデジタルカメラ１０では、上記通信規格として、ＩｒＤＡ（Infrared Data Association）を適用しているが、これに限らず、例えば、ブルートゥース（Bluetooth）等の従来既知の他の通信規格を適用することもできることは言うまでもない。
【００４３】
次に、図３の正面図（断面図）を参照して、第１プリント配線基板６０及び第２プリント配線基板６２と、その周辺部の構成を詳細に説明する。
【００４４】
同図に示されるように、第１プリント配線基板６０は、その上端エッジ部が筐体７０の上壁に近接するように固定配置されている。なお、第１プリント配線基板６０の下端エッジ部の一部には、外形が略円筒状とされた光学ユニット２２の配設空間を避けるための略半円状の切り欠き部６０Ｂが設けられている。
【００４５】
ここで、無線通信部６０Ａは、第１プリント配線基板６０の上端エッジ部の水平方向略中心部に、無線信号（ここでは、赤外線）が同図右方向に向けて送信されるように配置されている。
【００４６】
一方、同図に示されるように、第２プリント配線基板６２は、その下端エッジ部が筐体７０の底壁に近接するように固定配置されている。なお、図示は省略するが、第１プリント配線基板６０と第２プリント配線基板６２の間には、光学ユニット２２を始めとした各種部品が配置されている。
【００４７】
ここで、無線通信部６２Ａは、第２プリント配線基板６２の同図右端エッジ部の上端部に、無線信号（ここでは、赤外線）が同図上方向から受信されるように配置されている。
【００４８】
ここで、本実施の形態に係るデジタルカメラ１０では、無線通信部６０Ａの赤外線発光部と無線通信部６２Ａの赤外線受光部との間を結ぶ、筐体７０の内壁の一部と、表面が鏡面とされた反射板６４Ａからなる無線案内部６４が形成されている。なお、無線案内部６４は、同図の紙面に垂直方向の壁面（デジタルカメラ１０の正面壁面及び背面壁面）の内壁も利用されて構成されており、無線通信部６０Ａと無線通信部６２Ａとの間で略密閉された状態となっている。また、無線案内部６４を構成する筐体７０の内壁もまた表面が鏡面とされている。この無線案内部６４によって、第１プリント配線基板６０と第２プリント配線基板６２の間に各種部品が密集している場合でも、各無線通信部間で不具合なく無線通信を行うことができる。
【００４９】
次に、本実施の形態に係るデジタルカメラ１０の撮影時における全体的な動作について説明する。
【００５０】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００５１】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５２】
メモリ４８の所定領域に格納されたデジタル画像データは、ＣＰＵ４０による制御に応じてデジタル信号処理部３０により読み出され、所定の物理量に応じたＲ，Ｇ，Ｂ毎のデジタルゲインをかけることでホワイトバランス調整を行うと共に、ガンマ処理及びシャープネス処理を行って８ビットのデジタル画像データを生成する。
【００５３】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５４】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００５５】
ここで、レリーズスイッチ５６Ａがユーザによって半押し状態とされたタイミングで、レリーズスイッチ５６Ａが半押し状態とされたことを示す操作信号が無線通信部６０Ａから無線通信部６２Ａに対して送信される結果、前述のようにＡＥ機能が働いて露出状態が設定された後、ＡＦ機能が働いて合焦制御され、その後、引き続き全押し状態とされたタイミングで、レリーズスイッチ５６Ａが全押し状態とされたことを示す操作信号が無線通信部６０Ａから無線通信部６２Ａに対して送信される結果、その時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に電子化ファイル（画像ファイル）として記録する。
【００５６】
なお、レリーズスイッチ５６Ａ以外の操作スイッチが操作された際にも、当該操作スイッチに対する操作状態を示す操作信号が無線通信部６０Ａから無線通信部６２Ａに対して送信される結果、当該操作信号により示される操作状態に応じて予め定められた処理が第２プリント配線基板６２において実行される。
【００５７】
以上詳細に説明したように、本実施の形態では、各々予め定められた機能を有する複数のプリント配線基板（ここでは、第１プリント配線基板６０及び第２プリント配線基板６２）が内部に設けられた単一の筐体（ここでは、筐体７０）を有すると共に、設けられたプリント配線基板において取り扱われる電気信号を他の少なくとも１つのプリント配線基板に対して無線信号にて送信する無線送信手段（ここでは、無線通信部６０Ａ）を前記複数のプリント配線基板の少なくとも１つに設ける一方、前記無線送信手段によって送信された無線信号を受信する無線受信手段（ここでは、無線通信部６２Ａ）を前記複数のプリント配線基板の少なくとも１つに設けているので、コネクタやフレキシブルケーブル等の機械的な接続部品の使用を回避できる結果、同一の筐体内に電気的に接続する必要のある複数のプリント配線基板を有する場合でも当該接続に起因する装置の大型化を防止することができる。
【００５８】
また、本実施の形態では、前記無線送信手段が設けられるプリント配線基板を、予め定められた指示を入力する際に操作される操作手段（ここでは、レリーズスイッチ５６Ａ、電源スイッチ５６Ｂ、モード切替スイッチ５６Ｃ等の操作スイッチ）を有するものとし、前記電気信号を、前記操作手段に対する操作状態を示す操作信号とし、前記無線受信手段が設けられるプリント配線基板を、前記操作信号により示される操作状態に応じて予め定められた処理を実行するものとしているので、前記操作手段に対する操作状態に応じた処理を実行することができる。
【００５９】
特に、本実施の形態では、前記操作手段をレリーズスイッチとしているので、レリーズスイッチに対する操作に応じた撮影処理を実行することができる。
【００６０】
また、本実施の形態では、前記無線送信手段と前記無線受信手段との間の通信を、光を用いて行うものとしているので、他の無線通信に比較して、簡易に本発明を実現できる。
【００６１】
特に、本実施の形態では、前記光を前記無線送信手段から前記無線受信手段まで案内する案内手段（ここでは、無線案内部６４）を更に備えているので、より安定した状態で通信することができる結果、誤操作の発生を防止することができる。
【００６２】
また、本実施の形態では、前記案内手段を、反射板を用いて構成しているので、当該案内手段を簡易に構成することができる。
【００６３】
更に、本実施の形態では、前記案内手段に前記筐体の壁面を含めているので、当該壁面を有効利用することができる。
【００６４】
［第２の実施の形態］
本第２の実施の形態では、本発明の筐体として、デジタルカメラ１０本体を内包し、かつ防水性を有するものを適用した場合の形態例について説明する。
【００６５】
図４に示すように、本第２の実施の形態に係るデジタルカメラ１０’は、第２プリント配線基板６２における無線通信部６２Ａが、無線信号（ここでは、赤外線）が同図右方向から受信されるように配置されると共に、筐体７０における無線通信部６２Ａによる無線信号の受信方向に対応する位置に当該無線信号を通過させる窓部７０Ａが形成されている点のみが上記第１の実施の形態に係るデジタルカメラ１０と異なっている。
【００６６】
一方、デジタルカメラ１０’には、専用の防水パック６６が用意されている。
【００６７】
同図に示すように、防水パック６６は、外形形状がデジタルカメラ１０’と略同一でサイズが一回り大きなものとされている。
【００６８】
また、防水パック６６の筐体７２の上面で、かつデジタルカメラ１０’を収納した状態においてデジタルカメラ１０’のレリーズスイッチ５６Ａに対応する位置には、レリーズスイッチ６６Ａが設けられている。なお、レリーズスイッチ６６Ａと筐体７２との間は防水加工されており、筐体７２はデジタルカメラ１０’を収納した状態で密閉状態となる。
【００６９】
ここで、レリーズスイッチ６６Ａは第３プリント配線基板６８に電気的に接続された状態で搭載されている。また、第３プリント配線基板６８には、レリーズスイッチ６６Ａに対する操作状態を示す操作信号を無線信号にて送信する無線通信部６８Ａが設けられている。なお、図示は省略するが、第３プリント配線基板６８には、無線通信部６８Ａの他、レリーズスイッチ６６Ａに関する各種処理を実行する電子部品が搭載されている。また、第３プリント配線基板６８は、防水パック６６の筐体７２の内部に固定配置されている。
【００７０】
一方、デジタルカメラ１０’の筐体７０の内部には、ＣＰＵ４０、充電部４２、ＬＣＤインタフェース３６、メモリインタフェース４６、圧縮・伸張処理回路５４等の、デジタルカメラ１０’の中核的な役割を有する電子部品が搭載された第２プリント配線基板６２が固定配置されている点は上記第１の実施の形態に係るデジタルカメラ１０と同様である。
【００７１】
同図に示されるように、第３プリント配線基板６８は、その上端エッジ部が筐体７２の上壁に近接するように固定配置されている。
【００７２】
ここで、無線通信部６８Ａは、第３プリント配線基板６８の上端エッジ部の水平方向略中心部に、無線信号（ここでは、赤外線）が同図右方向に向けて送信されるように配置されている。
【００７３】
ここで、上述したように、無線通信部６２Ａは、第２プリント配線基板６２の同図右端エッジ部の上端部に、無線信号（ここでは、赤外線）が同図右方向から受信されるように配置されている。
【００７４】
本実施の形態に係るデジタルカメラ１０’では、無線通信部６８Ａの赤外線発光部と無線通信部６２Ａの赤外線受光部との間を結ぶ、筐体７２の内壁の一部と、筐体７０の外壁の一部と、表面が鏡面とされた反射板７４Ａからなる無線案内部７４が形成されている。なお、無線案内部７４は、同図の紙面に垂直方向の筐体７２の壁面（防水パック６６の正面壁面及び背面壁面）の内壁も利用されて構成されており、無線通信部６８Ａと無線通信部６２Ａとの間で略密閉された状態となっている。また、無線案内部７４を構成する筐体７２の内壁及び筐体７０の外壁もまた表面が鏡面とされている。この無線案内部７４によって、第３プリント配線基板６８と第２プリント配線基板６２の間に各種部品が密集している場合でも、各無線通信部間で不具合なく無線通信を行うことができる。
【００７５】
なお、本第２の実施の形態に係るデジタルカメラ１０’の作用は、無線信号の送信元が第１プリント配線基板６０に代えて第３プリント配線基板６８になる点を除いて上記第１の実施の形態に係るデジタルカメラ１０と同様であるので、ここでの説明は省略する。
【００７６】
以上詳細に説明したように、本実施の形態では、上記第１の実施の形態と同様の効果を奏することができると共に、本発明の筐体として、撮影装置（ここでは、デジタルカメラ１０’）本体を内包し、かつ防水性を有するもの（ここでは、防水パック６６の筐体７２）を適用しているので、操作スイッチに関する部分の密閉度を向上させることができる。
【００７７】
なお、本第２の実施の形態では、第３プリント配線基板６８に搭載する操作スイッチをレリーズスイッチ６６Ａのみとした場合について説明したが、本発明はこれに限定されるものではなく、例えば、電源スイッチ５６Ｂ、モード切替スイッチ５６Ｃ、十字カーソルスイッチ５６Ｄ、メニュースイッチ等の他のスイッチ類を搭載する形態とすることもできる。この場合も、本第２の実施の形態と同様の効果を奏することができる。
【００７８】
また、上記各実施の形態では、本発明の案内手段として筐体の壁面及び反射板を用いた無線案内部６４、７４を適用した場合について説明したが、本発明はこれに限定されるものではなく、例えば、光ファイバを適用する形態とすることもできる。この場合も、上記各実施の形態と同様の効果を奏することができる。
【００７９】
また、上記各実施の形態では、本発明の複数のプリント配線基板として２つのプリント配線基板を適用した場合について説明したが、本発明はこれに限定されるものではなく、３つ以上のプリント配線基板を適用する形態とすることもできる。この場合も、上記各実施の形態と同様の効果を奏することができる。
【００８０】
その他、上記各実施の形態に係るデジタルカメラ１０及びデジタルカメラ１０’の構成（図１〜図４参照。）は一例であり、本発明の主旨を逸脱しない範囲内において適宜変更可能であることは言うまでもない。
【００８１】
例えば、第１プリント配線基板６０、第２プリント配線基板６２、及び第３プリント配線基板６８の形状やサイズ、配置位置等は、搭載するデジタルカメラの構造、サイズ等に応じた適切なものとすればよい。
【００８２】
また、無線案内部６４及び無線案内部７４の形状やサイズ、配置位置等も、搭載するデジタルカメラの構造、サイズ等に応じた適切なものとすればよく、無線通信部６０Ａ、無線通信部６２Ａ、及び無線通信部６８Ａのプリント配線基板上の配置位置及び配置方向もまた、適宜適切な位置及び方向とすればよい。
【００８３】
更に、上記各実施の形態では、本発明をデジタルカメラに適用した場合について説明したが、本発明は、ＰＤＡ、携帯電話機等、撮影機能を有する電子機器であれば如何なるものにでも適用できることは言うまでもない。
【図面の簡単な説明】
【００８４】
【図１】実施の形態に係るデジタルカメラの外観を示す外観図である。
【図２】実施の形態に係るデジタルカメラの電気系の要部構成を示すブロック図である。
【図３】第１の実施の形態に係るデジタルカメラの内部構造を示す正面図（断面図）である。
【図４】第２の実施の形態に係るデジタルカメラ及び防水パックの内部構造を示す正面図（断面図）である。
【符号の説明】
【００８５】
１０、１０’    デジタルカメラ
５６Ａ    レリーズスイッチ（操作手段）
５６Ｂ    電源スイッチ（操作手段）
５６Ｃ    モード切替スイッチ（操作手段）
５６Ｄ    十字カーソルスイッチ（操作手段）
６０    第１プリント配線基板（プリント配線基板）
６０Ａ    無線通信部（無線送信手段）
６２    第２プリント配線基板（プリント配線基板）
６２Ａ    無線通信部（無線受信手段）
６４    無線案内部（案内手段）
６４Ａ    反射板
６６    防水パック
６６Ａ    レリーズスイッチ（操作手段）
６８    第３プリント配線基板（プリント配線基板）
６８Ａ    無線通信部（無線送信手段）
７０    筐体
７２    筐体
７４    無線案内部（案内手段）
７４Ａ    反射板
【図１】
2007096534.tif 000003
【図２】
2007096534.tif 000004
【図３】
2007096534.tif 000005
【図４】
2007096534.tif 000006